(57)【特許請求の範囲】
【請求項１】
回転可能な一対の支持ロ−ラと、該支持ロ−ラ上に載置した車輪の側面に当接可能なセンタリングロ−ラを備えたセンタリング装置と、前記支持ロ−ラとセンタリング装置の作動を制御するとともに、左右のセンタリングロ−ラを各支持ロ−ラ側へ同期かつ等速度移動制御し、かつその原点からの移動距離を演算可能な制御装置を有する車両検査装置において、前記制御装置を介して、左右のセンタリングロ−ラの前記移動距離の和の１／２の真正なセンタリング位置と、該真正なセンタリング位置と前記センタリングロ−ラの各移動距離との差の補正距離とを、演算可能にするとともに、前記演算した真正なセンタリング位置と前記補正距離を基に、各センタリングロ−ラを前記移動位置から進退動可能にし、各センタリングロ−ラの位置を補正可能にしたことを特徴とする車両検査装置。
【請求項２】
前記制御装置の演算前は、前記支持ロ−ラを静止可能にした請求項１記載の車両検査装置。
【請求項３】
前記センタリングロ−ラを回転可能に支持するロ−ラア−ムの中間部を連結板に回動可能に枢支し、該枢支部とセンタリングロ−ラの回転中心部とをオフセットして配置した請求項１記載の車両検査装置。
【請求項４】
前記ロ−ラア−ムの基端部に該ア−ムの回動変位を検出可能な位置センサを配置し、該センサの検出信号を前記制御装置へ入力可能にした請求項３記載の車両検査装置。
【発明の詳細な説明】
【０００１】
【発明の属する技術分野】
本発明は、例えばアライメント測定やヘッドライト試験時の車両のセンタリングに好適で、従来の複雑かつ高価で作動誤差や調整要素が多い機械式センタリング法を廃し、電気系統を駆使した電気式センタリング法によって、構成の簡潔化とセンタリング精度の向上を図り、しかも安価で当初の精度を長期に亘って維持でき、センタリングの合理化とその作動の安定化並びに小形軽量化を図れるとともに、多様なセンタリング法を得られるようにした車両検査装置に関する。
【０００２】
【従来の技術】
例えば車両のホイ−ルアライメントやヘッドライトの機能を精度良く測定するには、車両の中心位置を測定基準位置に正確に合致させる必要があり、そのためのセンタリング装置として、従来より種々のものが提案されている。
【０００３】
例えば特許第２６２２６００号公報には、左右一対の長尺の移動台板を車両の進入方向に沿って配置し、該台板をパンタグラフ機構を介して、車幅方向へ近接離反動可能に設け、この一方の移動台板の端部に、車両の進入路を規制する第１のガイドロ−ラを略ハ字形状に配置している。
また、前記移動台板上に前後輪を載置可能な試験ユニットを含む支持台を設け、該支持台を別のパンタグラフ機構を介して、車幅方向ヘ近接離反動可能に設け、各支持台の前部に第２のガイドロ−ラを略ハ字形状に配置している。
【０００４】
そして、前記第１および第２のガイドロ−ラによって、進入する車輪の位置を規制するとともに、前記パンタグラフ機構の作動によって、移動台板を介し各支持台の位置を近接離反動させ、車両が片側にずれたり斜めに進入した場合、車両を自動的に測定基準線に整合させるようにしている。
【０００５】
しかし、この従来の装置は、試験ユニットと支持台と車輪とを一体に移動させる構成のものに限られ、それ以外の構成の装置には採用できない。
しかも、前記装置のセンタリングは、作動誤差の多いパンタグラフ機構によって行なっているため、調整要素が多くセンタリングの正確性や精度を得られず、またパンタグラフ機構の作動は経年的に低下し、センタリング精度が低下する等の問題があった。
【０００６】
【発明が解決しようとする課題】
本発明はこのような問題を解決し、例えばアライメント測定やヘッドライト試験時の車両のセンタリングに好適で、従来の複雑かつ高価で作動誤差や調整要素が多い機械式センタリング法を廃し、電気系統を駆使した電気式センタリング法によって、構成の簡潔化とセンタリング精度の向上を図り、しかも安価で当初の精度を長期に亘って維持でき、センタリングの合理化とその作動の安定化並びに小形軽量化を図れるとともに、多様なセンタリング法を得られるようにした車両検査装置を提供することを目的とする。
【０００７】
【課題を解決するための手段】
このため、請求項１の発明は、回転可能な一対の支持ロ−ラと、該支持ロ−ラ上に載置した車輪の側面に当接可能なセンタリングロ−ラを備えたセンタリング装置と、前記支持ロ−ラとセンタリング装置の作動を制御するとともに、左右のセンタリングロ−ラを各支持ロ−ラ側へ同期かつ等速度移動制御し、かつその原点からの移動距離を演算可能な制御装置を有する車両検査装置において、前記制御装置を介して、左右のセンタリングロ−ラの前記移動距離の和の１／２の真正なセンタリング位置と、該真正なセンタリング位置と前記センタリングロ−ラの各移動距離との差の補正距離とを、演算可能にするとともに、前記演算した真正なセンタリング位置と前記補正距離を基に、各センタリングロ−ラを前記移動位置から進退動可能にし、各センタリングロ−ラの位置を補正可能にして、各センタリングロ−ラを真正なセンタリング位置へ位置付け、センタリングの正確性と精度の向上を図り、アライメント測定時のセンタリングに好適にしている。
【０００８】
請求項２の発明は、前記制御装置の演算前は、前記支持ロ−ラを静止可能にして、支持ロ−ラ上の車輪ないし車両の挙動を可及的に抑制して安定させ、前記演算に伴なう距離計測や信号の遣り取りを正確かつ能率良く行なうようにしている。
請求項３の発明は、前記センタリングロ−ラを回転可能に支持するロ−ラア−ムの中間部を連結板に回動可能に枢支し、該枢支部とセンタリングロ−ラの回転中心部とをオフセットして配置し、センタリングロ−ラと車輪との当接を正確かつ安定して検出するとともに、センタリングロ−ラを車輪を押し付ける従来の検出法のような車輪の変位を防止し、センタリングロ−ラの移動距離の正確な計測を実現可能にしている。
【０００９】
請求項４の発明は、前記ロ−ラア−ムの基端部に該ア−ムの回動変位を検出可能な位置センサを配置し、該センサの検出信号を前記制御装置へ入力可能にし、センタリングロ−ラと車輪との当接を正確かつ速やかに検出し、その検出信号を前記制御装置へ入力し得るようにしている。
【００１３】
【発明の実施の形態】
以下、本発明をアライメントテスタのセンタリング装置に適用した図示の実施形態について説明すると、図１乃至図１１において１は車検場、自動車製造工場内の検査ライン、自動車整備工場等の床面で、その所定位置にピット２が設けられ、該ピット２内に車両検査装置３が設置されている。
【００１４】
前記車両検査装置３は左右の架台４，４上に据え付けられ、該台４，４上に基台５５，５５が取り付けられている。前記基台５５，５５上にガイドレ−ル５６とスライドガイド５７を介して、ベ−スフレ−ム５８が車両の進入方向に摺動可能に取り付けられ、後述の支持台を被検車両のホイ−ルベ−スに調整可能にしている。
【００１５】
前記ベ−スフレ−ム５８，５８の前後に後述の基板を介して、一対の支持台５〜８が設置されている。
前記支持台５〜８は実質的に同一に構成され、その前後の一組は前記ベ−スフレ−ム５８，５８を介して、被検車両(図示略)のホイ−ルベ−スに調整可能にされ、それらの上部に一対の支持ロ−ラ９，９が回転可能に支持されている。
【００１６】
前記支持ロ−ラ９，９は、被検車両(図示略)の前後輪１０，１１を載置かつ回転可能にされ、その上部周面は床面２と略同高位置に配置され、その少なくとも一方の支持ロ−ラ９を駆動回転可能にしている。
実施形態では、一方の支持ロ−ラ９に駆動用モ−タ(図示略)を内蔵し、該モ−タの作動時期を後述の制御装置で制御し、これをセンタリング開始当初は静止させている。
【００１７】
前記支持台５〜８の外側にアライメントテスタ１２，１３が設置され、該テスタ１２，１３は実施形態の場合、複数の超音波センサ１４を駆使して構成され、該センサ１４から前後輪１０，１１の外側面に向けて、超音波を発射させている図中、１５は超音波センサ１４の同軸位置に配置した空気吹出管で、超音波の伝搬路の温度変化を抑制させている。
【００１８】
前記支持台５〜８の外側にセンタリング装置１６〜１９が設けられ、該装置１６〜１９は実質的に同一に構成され、これらはセンタリング動作開始前、支持台５〜８の外側の所定位置に位置し、センタリング動作時は対応する支持台５〜８へ等速度で移動可能にされている。
【００１９】
すなわち、前記センタリング装置１６〜１９は、支持台５〜８の基板２０と略同高位置の取付板２１上に架設され、該板２１上に支持枠２２を固定している。前記支持枠２２の上端部にガイドレ−ル２３が固定され、該レ−ル２３にスライドガイド２４が摺動自在に嵌合している。
前記スライドガイド２４にガイドプレ−ト２５が取り付けられ、該プレ−ト２５の側端部にラック２６が固定されている。
【００２０】
一方、前記支持枠２２の側端部に側板２７が垂直に取り付けられ、該側板２７の下端部にモ−タ２８が取り付けられ、その駆動軸２９が軸受３０を介し上向きに配置されている。
前記モ−タ２８は正逆転可能にされ、そのＯＮ．ＯＦＦ作動および回転速度を後述の制御装置で制御している。
前記駆動軸２９の上端部に前記ラック２６と噛合可能なピニオン３１が固定され、該ピニオン３１は上部に薄厚のギア３２を固定していて、該ギア３２に大径の中間ギア３３が噛合している。
【００２１】
前記中間ギア３３は、センタリング装置１６〜１９の移動距離の計測手段である、エンコ−ダ３４の回動軸３５に固定され、その回動角度相当分、エンコ−ダ３４を作動可能にしている。
【００２２】
前記エンコ−ダ３４は、前記側板２７の上部のブラケット３６，３６間に掛け渡した架板３７に取り付けられ、後述のセンタリングロ−ラの移動距離を計測可能にされていて、前記センタリングロ−ラの移動変位分回転し、その回転信号を後述の制御装置へ入力可能にしている。
実施形態ではエンコ−ダ３４は、センタリングロ−ラの１ｍｍの移動変位に対し、約１°回動可能にされている。
【００２３】
前記ガイドプレ−ト２５に一対の脚片３８が立設され、該脚片３８に長尺のセンタリングプレ−ト３９が水平に架設されている。
前記プレ−ト３９の先端部にスペ−サ４０が取り付けられ、該スペ−サ４０の先端部に連結板４１が固定され、該連結板４１とスペ−サ４０との間にピン４２を介して、ロ−ラア−ム４３の中間部が回動自在に連結されている。
【００２４】
前記ピン４２は、後述するセンタリングロ−ラの回転中心から車両の進入方向へオフセット（ｅ）し、センタリングロ−ラが前後輪１０，１１に当接した際、ロ−ラア−ム４３を図６上時計方向へ回動可能にしている。
【００２５】
前記ロ−ラア−ム４３の先端部に、センタリングロ−ラ４４が回転自在に支持され、該ロ−ラ４４は前記センタリングプレ−ト３９と同動して、前後輪１０，１１の外側面下部に当接可能にされている。
前記スペ−サ４０の一側に、ロ−ラア−ム４３の基端部と対向して固定板４５が取り付けられ、該固定板４５にストッパ４６とバネ受４７が取り付けられている。
【００２６】
このうち、前記ストッパ４６はロ−ラア−ム４３の基端部と当接して、前記ア−ム４３の回動角度を規制し、また前記バネ受４７にスプリング４８が介挿されている。前記スプリング４８の両端はロ−ラア−ム４３と固定板４５に着座し、その弾性によって、ロ−ラア−ム４３を原位置へ復帰回動可能に付勢している。
【００２７】
前記ストッパ４６とバネ受４７の間に、センタリングロ−ラ４４と前後輪１０，１１との当接検出手段である近接スイッチ４９が設けられ、またロ−ラア−ム４３の基端部内面に、位置検出片としてボルト５０の頭部が配置されている。
そして、ボルト５０の位置近接時に近接スイッチ４９が動作し、センタリングロ−ラ４４と前後輪１０，１１との接触ないし当接を検出して、その信号を制御装置５１であるシ−ケンサ等の演算器、または該演算器を内蔵したマイクロコンピュ−タへ入力可能にしている。
【００２８】
前記制御装置５１は、前記モ−タ２８、エンコ−ダ３４、支持ロ−ラ９の駆動用モ−タ、近接スイッチ４９等からの信号を受け入れ、前後輪１０，１１が支持ロ−ラ９，９上に乗り込み後、センタリング制御を実行可能にしている。
【００２９】
すなわち、制御装置５１による制御動作は図１０のようで、センタリング装置１６〜１９の互いに対をなす左右の各モ−タ２８，２８を、同期かつ等速度で駆動し、前記左右のセンタリングロ−ラ４４，４４を等速度で支持台５〜８方向へ移動可能にしている。
【００３０】
そして、各センタリングロ−ラ４４が支持ロ−ラ９，９上の前後輪１０，１１に接触ないし当接し、これを左右一対のセンタリング装置１６〜１９の近接スイッチ４９が検出し、その検出信号が制御装置５１に入力された際、対応するセンタリング装置１６〜１９のモ−タ２８へ制御信号を出力し、当該モ−タ２８の駆動を停止して、センタリングロ−ラ４４の移動を停止するようにしている。
【００３１】
次に、制御装置５１は、各エンコ−ダ３４からの入力信号に基いて、左右のセンタリングロ−ラ４４の移動距離と、その和の１／２を演算する。
前記左右の移動距離の和の１／２は、センタリングロ−ラ４４の原点位置から、センタリング時における左右の前後輪１０，１１の外側面までの、センタリングロ−ラ４４の真正な移動距離に相当する。
【００３２】
この後、前記制御装置５１は前記演算したセンタリングロ−ラ４４の真正な移動距離から、前記ロ−ラ４４の現状の移動距離の差を演算し、この差をセンタリング補正距離として、各モ−タ２８へ補正信号を出力し、各モ−タ２８を正逆転させて、各センタリングロ−ラ４４を現位置から進退可能にしている。
その際、制御装置５１は支持ロ−ラ９の駆動用モ−タ(図示略)に駆動信号を出力し、支持ロ−ラ９，９およびその上に収容した前後輪１０，１１を回転させて、車両の挙動を促すようにしている。
【００３３】
そして、各センタリングロ−ラ４４の補正移動後、制御装置５１はエンコ−ダ３４の入力信号に基いて、各センタリングロ−ラ４４の移動距離の当否をチェックし、前記補正距離の移動を確認したところで、各モ−タ２８の駆動を停止し、各支持ロ−ラ９の駆動用モ−タ(図示略)の駆動を停止する。
【００３４】
この状況の下で前後輪１０，１１のアライメントを測定し、測定後、各モ−タ２８を逆転駆動し、各センタリングロ−ラ４４を若干後退させて、要アライメント調整の前後輪１０，１１のアライメント調整を実行させるようにしている。
アライメント調整後、各センタリングロ−ラ４４を前進し、再度センタリングしてアライメントを測定し、その良好状態を確認後、各センタリングロ−ラ４４を原位置へ復帰させるようにしている。
【００３５】
この他、図中５２はピット２の開口部を閉塞する左右のカバ−プレ−ト、５３は前記カバ−プレ−ト５２の車両の進入側端部に設置した進入ガイド、５４は取付板２１に立設した支柱で、アライメントテスタ１２，１３の筐体を設置可能にしている。
図中、５９は支持枠２２の適所に取り付けた近接スイッチ、６０はその検出片であるＬ形金具で、前記ガイドプレ−ト２５の外側端部に取り付けられ、前記金具６０の原位置、つまりセンタリングロ−ラ４４の原位置復帰を検出可能にしている。
【００３６】
このように構成した車両検査装置は、左右の支持台５〜８とアライメントテスタ１２，１３が定位置に設置され、各センタリング装置１６〜１９だけが相対動可能にされている。
したがって、左右の支持台とアライメントテスタが互いに近接離反動する従来のものに比べて、パンタグラフ等の近接離反機構を要せず、その分構成が簡単になり、これを安価に製作できるとともに、車両の進入を容易かつ安定して行なえる。
【００３７】
また、本発明はセンタリング動作をモ−タ２８、エンコ−ダ３４、近接スイッチ４９、制御装置５１等の電気系統を駆使して行ない、従来のようにパンタグラフ等の機械系統を駆使したセンタリング法を廃しているから、構成が簡潔でパンタグラフ機構のような作動誤差がなく、前記センタリングを容易かつ速やかに、しかも正確に行なえる。
【００３８】
しかも、本発明のセンタリング法は、前記電気系統による演算によって、不定のセンタリング位置を求め、これに対応して各部の作動を制御しているから、支持ロ−ラ９，９上の前後輪１０，１１の状況に応じて、センタリング位置とセンタリング動作の自由度を得られ、また被検車両のホイ−ルベ−ス以外の情報を不要にして、センタリング作業の容易化を図れる。
【００３９】
前記車両検査装置は、センタリング動作前はセンタリング装置１６〜１９が支持台５〜８の外側の定位置に静止し、各モ−タ２８と支持ロ−ラ９に内蔵した駆動用モ−タ(図示略)が、それぞれ駆動を停止している。
したがって、センタリング装置１６〜１９の各センタリングロ−ラ４４は、図５のように対応する支持台５〜８の支持ロ−ラ９から離間し、かつその最外側に位置して、被検車両の導入路を開放している。
その際、センタリング装置１６〜１９の各ラック２６は、図５のように最外側に位置している。
【００４０】
このような状況の下で被検車両を図１の矢視方向から移動し、その前後輪１０，１１を各支持台５〜８の支持ロ−ラ９，９上に乗り込ませ、これを静止させて、制御装置５１によるセンタリング制御を開始する。
【００４１】
前記センタリング制御は、先ず各センタリング装置１６〜１９のモ−タ２８をＯＮし、各モ−タ２８を一斉に駆動させる。
このようにすると、モ−タ２８の出力軸２９に固定したピニオン３１が回転し、該ピニオン３１と噛合するラック２６が支持台５〜８側へ移動し、これに前記ラック２６を固定したガイドプレ−ト２５が同動する。
【００４２】
このため、ガイドプレ−ト２５の先端部に取り付けた各センタリングロ−ラ４４が、前後輪１０，１１方向へ一斉に等速度で移動し、それらが所定距離移動したところで、前後輪１０，１１の外側面下部に当接する。
この場合、各センタリングロ−ラ４４の当接時期は、被検車両の停止状態や、支持ロ−ラ９，９上の前後輪１０，１１の乗り込み姿勢によって相違し、左右のセンタリングロ−ラ４４，４４の間に多少の時間差を生ずる。
【００４３】
一方、前記センタリングロ−ラ４４が前後輪１０，１１に当接すると、そのロ−ラア−ム４３がスプリング４８の弾性に抗してピン４２を支点に回動し、例えば図６では前記ア−ム４３が矢視方向に回動し、前記ア−ム４３の基端部に取り付けたボルト頭部５０が、近接スイッチ４９の検出部に接近する。
【００４４】
この場合、センタリングロ−ラ４４の回転中心は、図６のようにピン４２よりも後方、つまり被検車両の後部方向へオフセットｅしているから、前記ロ−ラア−ム４３の矢視方向の回動が促され、近接スイッチ４９の検出動作の正確性と安定化を図れる。
また、センタリングロ−ラ４４を車輪１０，１１に単に押し付ける検出法に比べ、車輪１０，１１の移動変位を防止し、センタリングロ−ラ４４の移動距離を正確に計測できるとともに、センタリングロ−ラ移動用の駆動力を軽減し、モ−タ２８の小能力化とその小形軽量化を図れる。
【００４５】
そして、前記ボルト頭部５０が所定距離接近すると、この状況を近接スイッチ４９が検出し、つまりセンタリングロ−ラ４４が前後輪１０，１１に当接した状況を検出し、その信号を制御装置５１へ入力する。
この場合、左右のセンタリングロ−ラ４４の当接時期は、前述のように多少相違するから、対応する左右の近接スイッチ４９，４９の検出信号は、前後して制御装置５１へ入力される。
【００４６】
制御装置５１は近接スイッチ４９の入力信号によって、当該センタリング装置１６〜１９のモ−タ２８をＯＦＦし、センタリングロ−ラ４４の移動を停止して、該ロ−ラ４４と前後輪１０，１１との当接状態を保持する。
そして、前後輪１０，１１に対応する左右の近接スイッチ４９の信号入力を条件に、制御装置５１は各エンコ−ダ３４からの入力信号に基いて、各センタリングロ−ラ４４の原点位置からの移動距離ＦL，ＦR，ＲL，ＲRを演算する。
【００４７】
制御装置５１は前記移動距離ＦL，ＦR，ＲL，ＲRを基に、各センタリングロ−ラ４４の真正なセンタリング位置、つまり真正な移動位置を演算する。
前記センタリング位置は、センタリングロ−ラ４４の原点位置から、該ロ−ラ４４がセンタリング時に左右の前後輪１０，１１の外側面に当接するまでの真正な移動距離に相当し、前後輪１０，１１に対応する各移動距離ＦL，ＦR，ＲL，ＲRの和の１／２で求められる。
すなわち、左右の前輪１０，１０のセンタリング位置は（ＦL＋ＦR）／２、左右の後輪１１，１１のセンタリング位置は（ＲL＋ＲR）／２として演算される。
【００４８】
次に制御装置５１は、前記センタリング位置と各センタリングロ−ラ４４の移動距離ＦL，ＦR，ＲL，ＲRに基いて、左右の前後輪１０，１１に対する各センタリングロ−ラ４４の補正距離ΔF，ΔRを演算する。
前記補正距離は、前記演算したセンタリング位置と、現状のセンタリングロ−ラ４４の移動距離との差で求められる。
【００４９】
すなわち、左側の前輪１０に対する補正距離ΔFLは、ΔFL＝（ＦL＋ＦR）／２−ＦL＝（ＦR−ＦL）／２、右側の前輪１０に対する補正距離ΔFRは、ΔFR＝（ＦL＋ＦR）／２−ＦR＝（ＦL−ＦR）／２＝−（ＦR−ＦL）／２として求められ、これらはΔFL＝−ΔFRの関係にある。
したがって、図１１の実施形態ではＦL＜ＦRであるから、左側の前輪１０に対するセンタリングロ−ラ４４を＋ΔFL、つまりΔFL分前進させ、右側の前輪１０に対するセンタリングロ−ラ４４を−ΔFL、つまりΔFL分後退させる。
【００５０】
同様に、左側の後輪１１に対する補正距離ΔRLは、ΔRL＝（ＲL＋ＲR）／２−ＲL＝（ＲR−ＲL）／２、右側の後輪１１に対する補正距離ΔRRは、ΔRR＝（ＲL＋ＲR）／２−ＲR＝（ＲL−ＲR）／２＝−（ＲR−ＲL）／２として求められ、これらはΔRL＝−ΔRRの関係にある。
したがって、図１１の実施形態ではＲL＜ＲRであるから、左側の後輪１１に対するセンタリングロ−ラ４４を＋ΔRL、つまりΔRL分前進させ、右側の後輪１１に対するセンタリングロ−ラ４４を−ΔRR、つまりΔRR分後退させる。
【００５１】
前記補正距離信号は、制御装置５１から各センタリングロ−ラ４４のモ−タ２８へ出力され、それらのモ−タ２８を一斉に正逆転して、各センタリングロ−ラ４４を現位置から進退動させる。
また、制御装置５１はこれと前後して、各支持ロ−ラ９の駆動用モ−タ(図示略)へ駆動信号を出力し、それらのモ−タを駆動して、駆動側の支持ロ−ラ９を回転し、支持ロ−ラ９，９上の前後輪１０，１１を回転させる。
【００５２】
したがって、図１１では左側の前輪１０に対するセンタリングロ−ラ４４がΔFL分前進し、該前輪１０を同方向へ押し動かすとともに、右側の前輪１０に対するセンタリングロ−ラ４４がΔFL分後退する。
また、左側の後輪１１に対するセンタリングロ−ラ４４をΔRL分前進させ、該後輪１１を同方向へ押し動かすとともに、右側の後輪１１に対するセンタリングロ−ラ４４がΔRR分後退させる。
【００５３】
この場合、前述のように支持ロ−ラ９を回転駆動し、前後輪１０，１１を回転させているから、センタリングロ−ラ４４の前進による押圧力によって、前後輪１０，１１が支持ロ−ラ９の軸方向へ容易に移動し、つまり車両の挙動を促して、前後輪１０，１１ないし被検車両の乗り込み姿勢を修正し、正確なセンタリングを形成させる。
【００５４】
前記センタリングロ−ラ４４の補正距離の当否は、エンコ−ダ３４から制御装置５１へ入力される距離信号によってチェックされ、所定の補正距離を確認したところで、各モ−タ２８の駆動を個別に停止し、また各支持ロ−ラ９の駆動用モ−タ(図示略)の駆動を停止して、前記センタリングを完了する。
【００５５】
したがって、前記センタリング時には前後輪１０，１１が静止し、その外側面下部にセンタリングロ−ラ４４が当接して、センタリング状態の安定性を維持する。
【００５６】
このような状況の下で、前後輪１０，１１を静止若しくは回転させ、アライメントテスタ１２，１３によってアライメントを測定し、測定後、各モ−タ２８を逆転駆動し、各センタリングロ−ラ４４を若干後退させて、要アライメント調整の前後輪１０，１１のアライメント調整を実行する。
【００５７】
前記調整後、各センタリングロ−ラ４４を前進し、再度センタリングしてアライメントを測定し、その良好状態を確認後、各センタリングロ−ラ４４を原位置へ復帰させる。
【００５８】
このように、この実施形態では、センタリング開始当初は支持ロ−ラ９，９の回転を停止し、該ロ−ラ９，９上の前後輪１０，１１の挙動を拘束して、前後輪１０，１１ないし被検車両を安定させ、センタリングロ−ラ４４の移動距離を正確かつ速やかに計測する。
そして、センタリングロ−ラ４４の位置を補正する際、支持ロ−ラ９，９を回転させて、該ロ−ラ９，９上の前後輪１０，１１を挙動させ、前記挙動を可及的に抑制したから、前記位置調整を容易かつ速やかに行なえる。
【００５９】
図１２および図１３は制御装置５１によるセンタリング制御の他の形態を示し、前述の実施形態と対応する構成部分には同一の符号および名称を用いている。このうち、図１２は本発明の第２の実施形態を示し、この実施形態では支持ロ−ラ９，９をセンタリング開始当初から回転し、該ロ−ラ９，９上の前後輪１０，１１の挙動を促すようにしている。
【００６０】
そのようにすることで、前述のようにセンタリング制御途中で支持ロ−ラ９，９を回転させる複雑な制御を廃し、前記制御系を簡潔にして、センタリングを円滑かつ速やかに行なうとともに、センタリングロ−ラ４４の推力を軽減し、その推力源であるモ−タ２８の小形かつ小能力化を促すようにしている。
【００６１】
図１３は本発明の第３の実施形態を示し、この実施形態では前述の実施形態と同様に、センタリング開始当初から支持ロ−ラ９，９を回転し、該ロ−ラ９，９上の前後輪１０，１１の挙動を促すようにしている。
そして、センタリング制御中、終始、左右一対のセンタリングロ−ラ４４，４４の同期作動、つまり対応する前記ロ−ラ４４の駆動源であるモ−タ２８のＯＮ．ＯＦＦ時期と、その回転速度ないし回転数の一致を図り、左右一対のセンタリングロ−ラ４４，４４の等速移動と等距離移動を確保させている。
【００６２】
すなわち、センタリング制御中、各モ−タ２８から駆動時期とその回転速度ないし回転数の信号、およびエンコ−ダ３４からセンタリングロ−ラ４４，４４の移動距離信号を制御装置５１へ入力する。
そして、例えば支持ロ−ラ９，９上の被検車両の停止位置によって、一方のセンタリングロ−ラ４４が車輪１０に当接すると、当該モ−タ２８の回転速度が低下し、他方のモ−タ２８の回転速度との間に速度差を生じ、当該信号が制御装置５１へ入力される。
【００６３】
このため、制御装置５１は前記速度低下ないし速度差信号入力によって、一方または双方のモ−タ２８の回転速度ないし回転数を加減制御する。
すなわち、制御装置５１は減速側のモ−タ２８の回転速度を増速させ、若しくは他方のモ−タ２８の回転速度を減速させて、双方のモ−タ２８の等速度状態を回復し、前記速度差を修復して、左右のセンタリングロ−ラ４４，４４の等速移動と、等距離移動を速やかに回復させる。
【００６４】
したがって、左右のセンタリングロ−ラ４４，４４が車輪１０，１０側へ等距離移動し、この後前記他方のロ−ラ４４が車輪１０に当接する。
すなわち、左右のセンタリングロ−ラ４４，４４が前後して車輪１０，１０に当接し、双方の当接状況が対応する近接スイッチ４９，４９で検出されると、その信号が制御装置５１へ入力される。
この結果、前記制御装置５１はモ−タ２８，２８の駆動を停止し、センタリングロ−ラ４４，４４の移動を停止させて、センタリングを完了する。
【００６５】
この場合、前記センタリング中は支持ロ−ラ９，９が回転し続け、車輪１０，１０の挙動を促すから、前記ロ−ラ９，９上の車輪１０の位置および姿勢が容易かつ速やかに修正され、センタリング終了時は車輪１０，１０がアライメントテスタ１２，１３に正対する。
【００６６】
このように前記実施形態では、センタリング中、左右一対のセンタリングロ−ラ４４，４４の等速移動ないし等距離移動をフィ−ドバック制御し、左右の車輪１０，１０ないし被検車両を正確かつ速やかにセンタリングする。
したがって、左右の車輪１０，１０の位置を前述のように補正する必要がなく、図１３のように非常に簡潔なセンタリング法で所期の目的を達成できる。
【００６７】
なお、前述の実施形態は何れもセンタリング装置１６〜１９を車輪１０の外側に配置し、センタリングロ−ラ４４を車輪１０の外側面に接近させて当接しているが、これに限らずセンタリング装置１６〜１９を車輪１０の内側、つまり左右の車輪１０，１０間に配置し、各センタリングロ−ラ４４を車輪１０の内側面に接近して当接させても良い。
そのようにすることで、車輪１０の外側にセンタリング装置１６〜１９の設置スペ−スを確保する必要がなく、その分この種装置の小形化を図れる。
【００６８】
【発明の効果】
以上のように、請求項１の発明は、前記制御装置を介して、左右のセンタリングロ−ラの前記移動距離の和の１／２の真正なセンタリング位置と、該真正なセンタリング位置と前記センタリングロ−ラの各移動距離との差の補正距離とを、演算可能にするとともに、前記演算した真正なセンタリング位置と前記補正距離を基に、各センタリングロ−ラを前記移動位置から進退動可能にし、各センタリングロ−ラの位置を補正可能にしたから、各センタリングロ−ラを真正なセンタリング位置へ位置付け、センタリングの正確性と精度の向上を図れ、アライメント測定時のセンタリングに好適な効果がある。
【００６９】
請求項２の発明は、請求項２の発明は、前記制御装置の演算前は、前記支持ロ−ラを静止可能にしたから、支持ロ−ラ上の車輪ないし車両の挙動を可及的に抑制して安定させ、前記演算に伴なう距離計測や信号の遣り取りを正確かつ能率良く行なうことができる。
請求項３の発明は、前記センタリングロ−ラを回転可能に支持するロ−ラア−ムの中間部を連結板に回動可能に枢支し、該枢支部とセンタリングロ−ラの回転中心部とをオフセットして配置したから、センタリングロ−ラと車輪との当接を正確かつ安定して検出するとともに、センタリングロ−ラを車輪を押し付ける従来の検出法のような車輪の変位を防止し、センタリングロ−ラの移動距離の正確な計測を実現することができる。
【００７０】
請求項４の発明は、前記ロ−ラア−ムの基端部に該ア−ムの回動変位を検出可能な位置センサを配置し、該センサの検出信号を前記制御装置へ入力可能にしたから、センタリングロ−ラと車輪との当接を正確かつ速やかに検出し、その検出信号を前記制御装置へ入力することができる。
【図面の簡単な説明】
【図１】本発明をアライメントテスタに適用した際の車両のセンタリング状況を示す説明図である。
【図２】図１のＡ−Ａ線に沿う拡大断面図である。
【図３】図１のＢ−Ｂ線に沿う拡大断面図である。
【図４】本発明の要部を拡大して示す平面図で、センタリング装置のセンタリング前の状況を示している。
【図５】本発明の要部を拡大して示す平面図で、センタリング装置のセンタリング前の状況を図４の矢視方向から示している。
【図６】図４の要部を拡大して示す平面図で、センタリングロ−ラの取り付け状況を示している。
【図７】図４の要部を拡大して示す平面図で、センタリング装置の駆動用モ−タに連係する歯車機構を拡大して示している。
【図８】本発明の要部を拡大して示す平面図で、図５に示すセンタリング装置のセンタリング時の状況を示している。
【図９】図４の側面図で、一部を省略して図示している。
【図１０】本発明に適用した制御装置によるセンタリング制御の一例を示す制御フロ−である。
【図１１】図１０に示したセンタリング制御によるセンタリング状況を示す説明図である
【図１２】本発明の第２の実施形態に係る制御装置のセンタリング制御を示す制御フロ−である。
【図１３】本発明の第３の実施形態に係る制御装置のセンタリング制御を示す制御フロ−である。
【符号の説明】
９                  支持ロ−ラ
１０                  車輪（前輪）
１１                  車輪（後輪）
１６〜１９            センタリング装置
３４                  計測手段（エンコ−ダ）
３９                  センタリングプレ−ト
４３                  ロ−ラア−ム
４４                  センタリングロ−ラ
４９                  当接検出手段（近接スイッチ）
５１                  制御装置
【図１】
0003763759.tif 000002
【図２】
0003763759.tif 000003
【図３】
0003763759.tif 000004
【図５】
0003763759.tif 000005
【図４】
0003763759.tif 000006
【図６】
0003763759.tif 000007
【図７】
0003763759.tif 000008
【図８】
0003763759.tif 000009
【図９】
0003763759.tif 000010
【図１１】
0003763759.tif 000011
【図１０】
0003763759.tif 000012
【図１２】
0003763759.tif 000013
【図１３】
0003763759.tif 000014